(57)【要約】  耳孔を塞がないために外部音の聴取を阻害せず、耳珠部分を局所的に振動させるために効率がよくて音漏れが少なく、しかも構成簡易で装脱が容易な骨伝導スピーカを提供することを課題とするものであって、骨伝導スピーカ本体１と、前記骨伝導スピーカ本体１に取り付けられて前記骨伝導スピーカ本体を耳珠３１又はその近傍位置に当接させるように保持する保持手段２とから成り、前記保持手段２は、耳甲介腔３０内に収まるリング状のものであり、その両外側面部分が耳珠３１の内側部と耳甲介腔３０の内側面に当接してそこを押し続けることにより、その位置に係止されることを特徴とする。
2008029515.tif 000002
【特許請求の範囲】
【請求項１】
骨伝導スピーカ本体と、前記骨伝導スピーカ本体に取り付けられて前記骨伝導スピーカ本体を耳珠又はその近傍位置に当接させるように保持する保持手段とから成り、前記保持手段は、耳甲介腔内に収まるリング状のものであり、その両外側面部分が前記耳珠の内側部と前記耳甲介腔の内側面に当接してそこを押し続けることにより、その位置に係止されることを特徴とする骨伝導スピーカ。
【請求項２】
前記保持手段は、Ｃ字形状であって、その中間部が前記骨伝導スピーカ本体に固定される請求項１に記載の骨伝導スピーカ。
【請求項３】
前記保持手段は、Ｃ字形状であって、その一端部が前記骨伝導スピーカ本体に固定される請求項１に記載の骨伝導スピーカ。
【請求項４】
前記保持手段は、両端部にパッドを備える請求項３に記載の骨伝導スピーカ。
【請求項５】
前記保持手段は、円形又はＯ字形状であって、その任意の部分が前記骨伝導スピーカ本体に固定される請求項１に記載の骨伝導スピーカ。
【請求項６】
前記保持手段は、部分的に太さを変えたものである請求項５に記載の骨伝導スピーカ。
【請求項７】
前記保持手段は、弾性資材製である請求項１乃至６のいずれかに記載の骨伝導スピーカ。
【請求項８】
前記保持手段は、樹脂被膜を施したものである請求項１に記載の骨伝導スピーカ。
【請求項９】
前記弾性線材は、樹脂チューブに挿通したものである請求項１に記載の骨伝導スピーカ。
【発明の詳細な説明】
【技術分野】
【０００１】
本発明は骨伝導スピーカ、より詳細には、頭骨に音声信号に基づく振動を伝えることによって骨伝導音として聴取させるスピーカであって、特に、外部音等の聴取経路である耳孔を塞ぐことなく、最適位置に無理なく装着可能な骨伝導スピーカに関するものである。
【背景技術】
【０００２】
上記のとおり、骨伝導スピーカは頭骨を振動させて音声の伝達を行なうものであり、使用に際しては、その振動面を頭部のいずれかの個所に当接させ、且つ、その状態を維持させる必要がある。そのために当初は、通常のヘッドホンのように、ヘッドバンドを用いてスピーカをこめかみ部及び乳様突起部に押し当てる方法が用いられていたが、この方法の場合、ヘッドバンドを頭に掛け続けなければならない煩わしさがあり、また、装着状態が目立つために敬遠されていた。【０００３】
また、一般のイヤホンと同様に、耳孔内に挿入するタイプのものも用いられているが、当然のことながらその場合は耳孔が塞がれ、外部音の聴取が阻害される。【０００４】
しかるに、近時、健聴者が骨伝導スピーカを使用する場合は、通常音は外耳道から鼓膜を介して聴取し、別情報を骨伝導スピーカを介して聴取するといった使われ方が一般化している。この場合骨伝導スピーカは、耳孔を塞がないように且つ耳殻周辺部に当接するように配置され、耳孔は開放される。【０００５】
そのようにするための構成としては、耳掛け式が一般的である。図７はその一構成例を示すものであり、それは、背後から耳介に掛ける耳掛け３５の先端に骨伝導スピーカ３６を取り付けたもので、この場合骨伝導スピーカ３６は、耳珠の少し前方位置に当接する。【０００６】
ところで、健聴者による上記使用法の場合、健聴者であるが故に、外耳道を経由して入ってくる音を優先的に認識する傾向にあり、その結果、骨導音を小さく感じてしまうという問題がある。もちろん、このレベルの骨導音であっても、耳栓をして外部音をカットした場合には、明瞭に聴取することができる。【０００７】
そこで、健聴者が、耳孔を塞ぐことなく、骨伝導スピーカを最も効率よく使用できる位置を確認するための試験を行ったところ、それは耳珠及びその近傍位置であることが分かった。これは、骨伝導スピーカの振動で耳珠部分が振動し（耳珠がスピーカの振動板の働きをする）、外耳道内に気導音として伝わっていくためで、その結果、効率よく聞くことができることになるのである。【０００８】
耳珠部におけるこのような作用は、他の耳介部分を振動させた場合にも起こるが、他の耳介部分の場合には耳介全体が振動してしまうために、音が外部に漏れるという問題が起こる。従って、外部への音漏れを少なくするためには、耳珠部分を局所的に振動させることが必要となる。【０００９】
【特許文献１】特開平１０−１２６４７３号公報
【特許文献２】特開平１１−２１５５８１号公報
【特許文献３】特開平１１−３３１９７０号公報
【特許文献４】特開２００２−２６２３８１号公報
【発明の開示】
【発明が解決しようとする課題】
【００１０】
本発明は上記知見に基いてなされたもので、耳孔を塞がないために外部音の聴取を阻害せず、耳珠部分を局所的に振動させるために効率がよくて音漏れが少なく、しかも構成簡易で装脱が容易な骨伝導スピーカを提供することを課題とする。
【課題を解決するための手段】
【００１１】
上記課題を解決するための本発明に係る骨伝導スピーカは、骨伝導スピーカ本体と、前記骨伝導スピーカ本体に取り付けられて前記骨伝導スピーカ本体を耳珠又はその近傍位置に当接させるように保持する保持手段とから成り、前記保持手段は、耳甲介腔内に収まるリング状のものであり、その両外側面部分が前記耳珠の内側部と前記耳甲介腔の内側面に当接してそこを押し続けることにより、その位置に係止されることを特徴とする。【００１２】
例えば前記保持手段は、Ｃ字形状に形成されて、その中間部又は一端部が前記骨伝導スピーカ本体に固定される。あるいは、前記保持手段は、円形又はＯ字形状に形成されて、その任意の部分が前記骨伝導スピーカ本体に固定される。【００１３】
前記保持手段をＣ字形状とした場合、当たりをよくするために、その両端部にパッドを備え付けることがある。また、保持手段を円形又はＯ字形状とする場合において、部分的に太さを変えて変形しやすくすることがある。【００１４】
好ましくは、前記保持手段は弾性資材製とし、また、皮膚への当たりをよくするために、樹脂被膜を施したり、樹脂チューブを被せたりすることもある。
【発明の効果】
【００１５】
本発明に係る骨伝導スピーカは、骨伝導スピーカ本体と、前記骨伝導スピーカ本体に取り付けられて前記骨伝導スピーカ本体を耳珠又はその近傍位置に当接させるように保持する保持手段とから成り、前記保持手段は、耳甲介腔内に収まるリング状のものであって、その両外側面部分が、前記耳珠の内側部と耳甲介腔の内側面に接してそこを押し続けることにより、その位置に係止されるという簡易な構成であって、耳孔を塞がないために外部音の聴取を阻害せず、耳珠部分を局所的に振動させるために効率がよくて音漏れが少なく、しかも構成簡易で装脱が容易という効果がある。
【発明を実施するための最良の形態】
【００１６】
本発明を実施するための最良の形態について、添付図面を参照しつつ説明する。本発明に係る骨伝導スピーカは、骨伝導スピーカ本体１と、骨伝導スピーカ本体１に取り付けられていて骨伝導スピーカ本体１を耳珠３１近くに保持するための保持手段とから成る。保持手段は、耳甲介腔３０内に収まるサイズのリング状のものであり、その両外側面部分が耳珠３１の内側部と耳甲介腔３０の内側面に適宜圧にて当接し、そこを押し続けることにより、その位置に係止されることを特徴とするものである。【００１７】
保持手段の構成としては、種々のものが考えられる。図１に示される第１の実施形態における保持手段２は、環状リングの一部を切り欠いてＣ字状に形成されたもので、その中間部がスピーカ本体１の上面に設置される取付アーム３の先端に固定されることで、骨伝導スピーカ本体１に取り付けられる。【００１８】
取付アーム３は直角形状であって、保持手段２はその先端に固定されることにより、骨伝導スピーカ本体１の軸線からずれることになる（図１ｂ参照）。このようにずれることにより、保持手段２が耳甲介腔３０内に収まった際に、骨伝導スピーカ本体１の振動面１ａが、耳珠３１又は耳珠近傍部分に程よく当接することになる。【００１９】
図示された保持手段２は左右対象に構成されているが、必ずしもそうである必要はなく、例えば、左右部分の長さを変えたり、湾曲度を変えたりしてもよい。また、特に金属製線材を用いる場合は、その全長に亘り、あるいは、耳珠３１の内側部及び耳甲介腔３０の内側面に当接する両側部分に部分的に、樹脂被膜を施したり、樹脂チューブを被装したりして、使用時において皮膚に対する当たり（当接感）を良くするようにすることが好ましい。以下に述べる実施形態の各保持手段についても同様である。【００２０】
また、保持手段２を弾性資材製とした場合は押圧変形が可能となり、装着に際して指で押圧変形させることにより、耳甲介腔３０内ヘの挿入を容易化できる。その場合、押圧力を解除すると、保持手段２はその弾発力によって元の状態に戻ろうとするが、その力が当接している耳珠３１の内側部と耳甲介腔３０の内側面に作用するので、保持手段２はそこに確固と係止され、一定以上の引出力が加わらない限り、そこに保持される（図２参照）。【００２１】
なお、保持手段２がこのように弾性変形しない堅固なものであっても、当接する皮膚の方に弾力性があるので、上記同様の確固とした係止状態が得られる。その場合の保持手段２は、耳殻を引張って耳甲介腔３０を拡げた状態で装着すると、装着しやすくなる。以下に述べる実施形態の各保持手段についても同様である。【００２２】
骨伝導スピーカを上記のようにして装着した際、骨伝導スピーカ本体１の振動面１ａは、必然的に耳珠３１又はその近傍位置に当接するため、その当接位置から音声信号に基づく振動の伝達が行なわれ、以て骨伝導音として音声の聴取が可能となる。また、それと同時に、耳珠３１及び／又はその近傍部分が局所的に振動することにより気導音が生じ、それが耳孔３３から外耳道に入って鼓膜に達することにより、該気導音の聴取がなされる。【００２３】
図３及び図４に示す第２の実施形態における保持手段２ａは、上記保持手段２と同様に、金属製又は樹脂製の弾性材又は剛性材にてＣ字状に形成し、両端部を外開きにして外開き部４、４ａを設けたものである。この場合は、保持手段２の場合と異なり、その一端部、換言すれば、一方の外開き部４に骨伝導スピーカ本体１が取り付けられる。【００２４】
また、第１の実施形態における保持手段２は垂直状態にて装着されるが、この第２の実施形態における保持手段２ａは水平状態にて装着される。即ち、一方の外開き部４が耳珠３１の内側に当接し、他方の外開き部４ａが耳甲介腔３０の内側面に当接し（図４参照）、耳珠３１の内側に当接する外開き部４の方に骨伝導スピーカ本体１が取り付けられる。【００２５】
各外開き部４、４ａには、それぞれ当接部に対する当たりをよくするために、多少横方向に張出すパッド５、５ａが設置される。耳珠３１当接側の外開き部４のパッド５は平板状で、このパッド５が、骨伝導スピーカ本体１から延びる取付アーム６に固定されることで、保持手段２ａが骨伝導スピーカ本体１に取り付けられることになる。他方の外開き部４ａのパッド５ａは、例えば、短い丸棒状で、パッド５の面と平行方向に延びるものとされる。【００２６】
この第２の実施形態の場合は、装着に当たり、保持手段２ａを水平状態にし、弾性材製の場合には押し縮め、その状態で外開き部４、４ａを耳甲介腔３０内に差し込んだ後、指を離してその押縮力を解除する。すると、保持手段２ａはその復元力で水平方向に拡開し、パッド５は耳珠３１の裏面に当接し、パッド５ａは耳甲介腔３０の内側面に当接し、それぞれの当接部を保持手段２ａの外方弾発力によって押圧する。かくして保持手段２ａはそこに係止され、一定以上の引出力が加わらない限り、そこに保持される。【００２７】
保持手段２ａの上記係止状態において、骨伝導スピーカ本体１で発生する振動は、パッド５を通じて耳珠３１及びその周辺に伝達され、以て骨伝導音として音声の聴取が可能となる。また、第１の実施形態の場合と同様に、骨導音と同時に気導音が聴取される。【００２８】
図５及び図６に示す第３の実施形態における保持手段２ｂは、第１の実施形態における保持手段２と同様に、金属製又は樹脂製の弾性材又は剛性材にて円形又はＯ字形状に形成されたものである。この場合、弾性変形を助けるために、部分的に太さを変えることもある（図５（ａ）参照）。【００２９】
この保持手段２ｂは、円形又はＯ字形状である点で保持手段２と異なるが、骨伝導スピーカ本体１への取付方法、耳への装着方法、並びに、作用効果は、実質的に保持手段２と同様であるので、説明を省略する。【００３０】
この発明をある程度詳細にその最も好ましい実施形態について説明してきたが、この発明の精神と範囲に反することなしに広範に異なる実施形態を構成することができることは明白なので、この発明は添付請求の範囲において限定した以外はその特定の実施形態に制約されるものではない。
【図面の簡単な説明】
【００３１】
【図１】本発明に係る骨伝導スピーカの構成例の正面及び側面を示す図である。
【図２】図１に示す骨伝導スピーカの装着方法を示す図である。
【図３】本発明に係る骨伝導スピーカの他の構成例の正面及び側面を示す図である。
【図４】図３に示す骨伝導スピーカの装着方法を示す図である。
【図５】本発明に係る骨伝導スピーカの更に他の構成例の正面及び側面を示す図である。
【図６】図５に示す骨伝導スピーカの装着方法を示す図である。
【図７】従来の骨伝導スピーカの保持方法の例を示す図である。
【図１】
2008029515.tif 000003
【図２】
2008029515.tif 000004
【図３】
2008029515.tif 000005
【図４】
2008029515.tif 000006
【図５】
2008029515.tif 000007
【図６】
2008029515.tif 000008
【図７】
2008029515.tif 000009
【手続補正書】
【提出日】平成21年5月19日(2009.5.19)
【手続補正１】
【補正対象書類名】特許請求の範囲
【補正対象項目名】全文
【補正方法】変更
【補正の内容】
【特許請求の範囲】
【請求項１】
骨伝導スピーカ本体と、前記骨伝導スピーカ本体に取り付けられて前記骨伝導スピーカ本体を耳珠又はその近傍位置に当接させるように保持する保持手段とから成り、前記保持手段は、耳甲介腔内に収まるリング状のものであり、その両外側面部分が前記耳珠の内側部と前記耳甲介腔の内側面に当接してそこを押し続けることにより、その位置に係止されることを特徴とする骨伝導スピーカ。
【請求項２】
前記保持手段は、Ｃ字形状であって、その中間部が前記骨伝導スピーカ本体に固定される請求項１に記載の骨伝導スピーカ。
【請求項３】
前記保持手段は、Ｃ字形状であって、その一端部が前記骨伝導スピーカ本体に固定される請求項１に記載の骨伝導スピーカ。
【請求項４】
前記保持手段は、両端部にパッドを備える請求項３に記載の骨伝導スピーカ。
【請求項５】
前記保持手段は、円形又はＯ字形状であって、その任意の部分が前記骨伝導スピーカ本体に固定される請求項1に記載の骨伝導スピーカ。
【請求項６】
前記保持手段は、部分的に太さを変えたものである請求項５に記載の骨伝導スピーカ。
【請求項７】
前記保持手段は、弾性資材製である請求項１乃至６のいずれかに記載の骨伝導スピーカ。
【請求項８】
前記保持手段は、弾性線材に樹脂被膜を施したものである請求項１に記載の骨伝導スピーカ。
【請求項９】
前記保持手段は、弾性線材を樹脂チューブに挿通したものである請求項１に記載の骨伝導スピーカ。
【国際調査報告】
2008029515.tif 000010
2008029515.tif 000011
2008029515.tif 000012
2008029515.tif 000013